(57)【要約】【課題】糸の端部の固定操作が容易に行なえ、ストレスを与えることを抑制した釣具用バンドを提供する。【解決手段】本考案の釣具用バンド１は、釣具を周方向に沿って巻き付け固定可能な帯状部５と、帯状部５の端部に設けられ、糸の先端が通過可能な中央孔部１１と、中央孔部１１を中心にして直径方向に延出する複数の切れ目１２ａ〜１２ｄとを備えた糸止め部１０と、を有する。【選択図】  図２
0003235254.tif 000002
【実用新案登録請求の範囲】
【請求項１】
釣具を周方向に沿って巻き付け固定可能な帯状部と、
前記帯状部の端部に設けられ、糸の先端が通過可能な中央孔部と、前記中央孔部を中心にして直径方向に延出する複数の切れ目とを備えた糸止め部と、
を有することを特徴とする釣具用バンド。
【請求項２】
前記複数の切れ目は、前記中央孔部を中心にして略等間隔で放射状に形成されていることを特徴とする請求項１に記載の釣具用バンド。
【請求項３】
前記複数の切れ目の端部には、それぞれ糸止め可能な小孔が形成されていることを特徴とする請求項１又は２に記載の釣具用バンド。
【請求項４】
前記糸止め部は、前記帯状部に一体形成されていることを特徴とする請求項１から３のいずれか１項に記載の釣具用バンド。
【請求項５】
前記糸止め部は、前記帯状部とは別部材で帯状部の端部に止着されていることを特徴とする請求項１から３のいずれか１項に記載の釣具用バンド。
【請求項６】
前記糸止め部は、弾性素材で構成されていることを特徴とする請求項５に記載の釣具用バンド。
【請求項７】
前記糸止め部は、前記帯状部よりも幅広に形成されていることを特徴とする請求項１から６のいずれか１項に記載の釣具用バンド。
【請求項８】
前記帯状部は、伸縮性素材で構成されていることを特徴とする請求項１から７のいずれか１項に記載の釣具用バンド。
【請求項９】
釣具を周方向に沿って巻き付け固定可能で、長手方向に沿って伸縮自在な帯状部と、
前記帯状部の端部に止着され、糸の先端が通過可能な中央孔部と、前記中央孔部を中心にして直径方向に延出する複数の切れ目とを備え、弾性素材によって形成された菊割れ構造の糸止め部と、
を有することを特徴とする釣具用バンド。
【考案の詳細な説明】
【技術分野】
【０００１】
本考案は、例えば、釣糸が巻回されたスプールに対して装着される釣具用バンドに関する。
【背景技術】
【０００２】
従来、スピニングリールの釣糸が巻回されたスプールに対して、その巻回表面を覆うように、釣具用バンドを装着することがある。このような釣具用バンドは、スプールに巻回された釣糸を保護すると共に、巻回されている釣糸が前後のフランジから解かれないようする等の効果がある。
【０００３】
釣具用バンドとして、例えば、特許文献１，２に開示された構成が知られている。前記特許文献１には、長手方向に延出して面ファスナが取着されたベルト本体の端部に小部品（糸止め部材）を取着しており、前記小部品に、釣糸の端部を通過させる孔部と、孔部からベルト本体のセンターラインに沿って延びる切れ目タイプの糸係止部とを設けた釣具用バンドが開示されている。また、前記特許文献２には、ベルト本体の端部に、釣糸の端部を通過させる貫通孔を設け、その貫通孔から基端縁側、及び、幅方向両側に延びる切り込みを形成した釣具用バンドが開示されている。
【先行技術文献】
【特許文献】
【０００４】
【特許文献１】特開２００１−２０４３１２号
【特許文献２】実用新案登録第３２２６２０７号
【考案の概要】
【考案が解決しようとする課題】
【０００５】
通常、スプールに巻回されている糸は、その先端部分が様々な方向を向いた状態となっている。従来の釣具用バンドは、釣糸の端部を通過させる孔部から切れ目が特定の方向に形成されていることから、糸の方向性によっては、切れ目と方向性が一致せず、固定操作がし難いことがある。また、特定の方向のみに糸を固定することから、糸癖によっては、固定した糸にストレスを掛けてしまう可能性がある。
【０００６】
本考案は、上記した問題に着目してなされたものであり、糸の端部の固定操作が容易に行なえ、ストレスを与えることを抑制した釣具用バンドを提供することを目的とする。
【課題を解決するための手段】
【０００７】
上記した目的を達成するために、本考案に係る釣具用バンドは、釣具を周方向に沿って巻き付け固定可能な帯状部と、前記帯状部の端部に設けられ、糸の先端が通過可能な中央孔部と、前記中央孔部を中心にして直径方向に延出する複数の切れ目とを備えた糸止め部と、を有することを特徴とする。
【０００８】
上記した構成の釣具用バンドは、糸止め部が、糸の先端が通過可能な中央孔部を中心にして、直径方向に延出する複数（２つ以上）の切れ目を有しており、少なくとも中央孔部から径方向外方に向けて４つ以上の切れ目が存在している。このため、係止する糸の向き（糸癖）に関係なく、中央孔部に通した糸は、いずれかの切れ目に案内し易くなり、糸の端部の固定操作が容易に行なえると共に、糸にストレスを与えることが抑制される。
【考案の効果】
【０００９】
本考案によれば、糸の端部の固定操作が容易に行なえ、ストレスを与えることを抑制した釣具用バンドが得られる。
【図面の簡単な説明】
【００１０】
【図１】本考案に係る釣具用バンドの第１の実施形態を示す図であり、スピニングリールのスプール（釣具）に装着した例を示す図。
【図２】図１に示す釣具用バンドの平面図。
【図３】（ａ）〜（ｄ）を含み、図２に示す釣具用バンドをスプールに装着する方法を順に示す図。
【図４】本考案に係る釣具用バンドの第２の実施形態を示す平面図。
【図５】本考案に係る釣具用バンドの第３の実施形態を示す平面図。
【図６】（ａ）及び（ｂ）を含み、本考案に係る釣具用バンドが装着される釣具（釣竿）の別の例を示す図。
【図７】（ａ）及び（ｂ）を含み、図６に示す釣竿に釣具用バンドを装着する方法を示す図。
【図８】（ａ）及び（ｂ）を含み、図７に引き続いて釣竿に釣具用バンドを装着する方法を示す図。
【考案を実施するための形態】
【００１１】
図１から図３は、本考案に係る釣具用バンドの第１の実施形態を示す図であり、図１はスピニングリールのスプール（釣具）に装着した例を示す図、図２は、釣具用バンドの平面図、そして、図３（ａ）〜（ｄ）は、釣具用バンドの装着方法を示す図である。
【００１２】
釣具用バンド１は、釣具であるスピニングリール１００の糸（釣糸）Ｓが巻回されたスプール１０１に装着することが可能である。釣糸Ｓは、スプール１０１の釣糸巻回胴部に巻回され、スプール１０１の前フランジ１０２とスカート１０３との間で規制される。この場合、釣糸の巻回量を多くすると、釣糸巻回胴部から釣糸が解かれる可能性もあるが、釣具用バンド１を、巻回された釣糸の表面に装着することで、釣糸を安定した状態にすることが可能となる。
【００１３】
前記釣糸用バンド１は、前記スプール１０１を周方向に沿って巻き付け固定可能な帯状部（バンド本体部）５と、帯状部５の端部に設けられ、釣糸Ｓを止める糸止め部１０とを備えている。
【００１４】
前記帯状部５の構成材料については特に限定されることはないが、長手方向に伸縮性のある素材、例えば、ゴム（シリコンゴム、天然ゴム、クロロプレンゴム等）、各種繊維、及び、これらの複合素材等によって構成されていることが好ましい。このような伸縮素材により、図１で示すようなスプール１０１に対して、帯状部５を長手方向に伸縮させて巻き付けることが容易に行えるようになる。
【００１５】
また、前記帯状部５は、スプール１０１に巻き付けした際、その状態を固定できるような構造を備えており、例えば、端部側の裏面に面ファスナ５ａを止着している。このような面ファスナ５ａは、帯状部５をスプールに巻回し、面ファスナ５ａを反対側の表面に設けられた凹凸面に止着することで、帯状部５をスプールに対して巻き付け固定することが可能となる。
なお、帯状部５を摩擦力がある素材で形成しても良く、後述するように、表面が平滑状になったロッド用のロッドバンドとして使用することも可能となる。
【００１６】
前記糸止め部１０は、釣糸Ｓの先端が通過可能な中央孔部１１と、中央孔部１１を中心にして直径方向に延出する複数の切れ目（本実施形態では、直径方向に延出する４本の切れ目；スリット１２ａ〜１２ｄ）と、を有している。本実施形態の糸止め部１０は、前記帯状部５とは別部材で帯状部の端部に、接着、糸止め等によって止着されている。すなわち、糸止め部１０を帯状部５と異なる素材で形成することが可能であり、これにより帯状部と糸止め部を最適な素材で形成することが可能となる。また、前記糸止め部１０は、スプール１０１に巻回される釣糸の先端を固定する（係止する）ものであり、複数の切れ目部分に釣糸を係止させるものであることから、各切れ目が変形し易いように、ゴムや樹脂製等、糸止め部そのものが伸縮、変形できるように、弾性素材で構成されていることが好ましい。
【００１７】
なお、糸止め部１０は、帯状部５に一体形成（同一素材で一体形成）しても良く、これにより作成時の加工が容易に行えるようになる。
【００１８】
前記中央孔部１１は、釣糸Ｓを摘まんで容易に挿通できる程度の大きさであれば良く、直径１．０〜２．０ｍｍ程度であれば良い。また、複数の切れ目１２ａ〜１２ｄは、中央孔部１１に挿通させた釣糸Ｓを、そのまま摘まんで任意の方向にシフトさせ、その位置を固定（一定の保持力で固定）させる機能を備えたものであれば良い。このため、中央孔部１１を中心にして略等間隔で放射状に形成されていることが好ましい。すなわち、本実施形態では、中央孔部１１を中心として、直径方向に４本の切れ目１２ａ〜１２ｄを形成しているので、中央孔部１１の周囲には、略４５°間隔で８本の切れ目が放射状に形成された状態となり、中央孔部１１を挿通させた釣糸は、いずれかの切れ目に固定し易くなる。
【００１９】
また、上記した切れ目１２ａ〜１２ｄの端部には、それぞれ糸止め可能な小孔１３を形成するのが好ましい。この小孔１３は、前記中央孔部１１よりも小径に形成しておくことが好ましく、これにより中央孔部１１を挿通させた釣糸をいずれかの切れ目に案内し、そのまま端部の小孔１３部分に保持することで、その釣糸（特に仕掛けを構成する小物類を締結した釣糸）を外れ難くすることができる。
【００２０】
上記した構成の釣具用バンド１を、図１に示すスピニングリール１００の釣糸Ｓが巻回されたスプール１０１に装着する場合、釣糸Ｓの先端を摘まんで、糸止め部１０の中央孔部１１に挿通させ、そのまま帯状部５をスプールの表面に巻き付ける。この際、釣糸を任意の方向にスライドさせることで、釣糸は、その周囲に放射状に配置されたいずれかの切れ目に案内され、端部の小孔１３に位置させることができる。この状態で、帯状部５の端部を糸止め部１０上に重ね、そのまま面ファスナ５ａを反対側の表面の凹凸面に止着することで、帯状部５をスプールに対して巻き付け固定することが可能となる。
【００２１】
なお、釣糸Ｓの糸止め部１０の中央孔部１１への挿通の仕方や釣具用バンド１のスプール１０１への装着方法は、図３のような方法に限定されることはなく、様々な態様で実施することが可能である。例えば、図３（ａ）とは反対に、釣糸Ｓを摘まんで裏面側（面ファスナ５ａがある側）から釣糸を挿通し、その状態で帯状部５の表面に載置して、そのまま帯状部５を巻き付けるようにしても良い。このような使用態様では、釣糸Ｓの先端に、以下のような小物類２０が締結されていても、そのような小物類を傷付けたり、ロッドを傷付けることが防止される。すなわち、釣糸Ｓは、中央孔部１１に対して、表面側から挿通させても良いし、裏面側から挿通させても良い（本実施形態では、裏面側から挿通させることで、小物類２０、ロッドを傷付けないようにすることができる）。
【００２２】
上記した釣具用バンドによれば、中央孔部１１の周囲に切れ目が放射状に形成されている（本実施形態では、８本の複数の方向性の切れ目がある）ことから、糸癖や折れが付いていても、いずれかの切れ目を利用することができ、釣糸をストレスなく（傷付けることなく）、容易に固定することが可能となる。また、中央孔部１１の周囲に切れ目が放射状に形成されていることで、中央孔部１１の周囲の縁は、中心軸方向に向けて撓むように変位することができ、釣糸の先端に小物類（スナップ、スイベル、錘、針等）２０が取着されていても、小物類２０も容易に挿通させて固定することができる。また、小孔１３に位置付けすることで、小物類２０がストッパとなって釣糸の抜けが抑制され、釣糸の固定状態が安定する。
【００２３】
さらに、帯状部５を伸縮自在な素材で形成することで、様々な径のスプールや、後述するような釣竿（ロッドバンド）等に適用することが可能となる。また、糸止め部１０を、ゴムや樹脂製等、伸縮、変形できるような弾性素材で形成すると、糸止め部１０が、中央孔部１１を中心とした菊割れ構造となるので、ある程度、大きな小物類２０であっても、中央孔部１１に容易に挿通させることができ、いずれかの切れ目を利用して小孔１３に固定することが容易に行えるようになる。
【００２４】
図４は、本考案に係る釣具用バンドの第２の実施形態を示す平面図である。
この実施形態では、中央孔部１１を中心にして、直径方向に延出する切れ目を２つ形成した例（切れ目１２ａ，１２ｂによって、中央孔部１１の周囲に放射状に４本の切れ目を形成した例）を示している。
【００２５】
このように、本考案では、直径方向に延出する切れ目が２本以上あれば良く、その本数については限定されることはない。なお、このような構成であっても、各切れ目の間隔は略等間隔（略９０°）にすることが好ましい。また、あまり本数が多すぎると、加工に手間がかかると共に、耐久性も低下するので、直径方向に延出する切れ目は、６本以下にすることが好ましい。さらに、各切れ目の径方向長さについては、全て同一の長さに形成されていなくても良い。
【００２６】
前記糸止め部１０の形状については特に限定されることはない。例えば、図１〜図３に示した矩形状の他、例えば、先端縁を略半円形状にする等、デザイン性を考慮して適宜、変形することが可能である。
【００２７】
図５は、本考案に係る釣具用バンドの第３の実施形態を示す平面図である。
この実施形態では、前記糸止め部１０を帯状部５よりも幅広に形成している。
【００２８】
このように、帯状部５の幅をスプールの幅に合わせる一方、糸止め部１０を操作し易い幅にすることで、帯状部５の巻き付け固定が容易に行えるようになる。また、糸止め部１０が摘まみ易いことから、巻き付け固定操作が容易に行えるようになる。
【００２９】
図６から図８は、上記した釣具用バンドを釣竿に適用した例を示す図であり、図６（ａ）及び（ｂ）は、釣具用バンドが装着される釣竿（釣具）を示す図、図７（ａ）及び（ｂ）は、図６に示す釣竿に釣具用バンドを装着する方法を示す図、そして、図８（ａ）及び（ｂ）は、図７に引き続いて釣竿に釣具用バンドを装着する方法を示す図である。
【００３０】
図に示す例では、並継式（２本継ぎ）の釣竿を継合部で分割し、穂先竿杆２０１の先端を元竿杆２００の元側に重ね、その端部を釣具用バンド１で巻き付け固定する態様を示している。
この例では、元竿杆２００にリールを装着したまま釣糸Ｓを元竿杆２００の先端で折り返し、穂先竿杆２０１の釣糸ガイド２１０及びトップガイド２１２に挿通させた状態で、両竿杆を固定するようにしている。
【００３１】
トップガイド２１２から繰り出される釣糸Ｓの端部には、図６に示すように、スナップ２０が取着されており、この状態で、スナップ２０を釣具用バンド１の糸止め部１０の中央孔部１１に挿通させ（図７参照）、帯状部５を元竿杆２００に巻き付け固定するようにしている（図８参照）。この場合、図８では、帯状部５を元竿杆２００に巻き付ける構成を示しているが、穂先竿杆２０１を元竿杆に２００に束ねて固定するようにしても良い。
【００３２】
このような使用態様では、上記した実施形態と同様な効果が得られる。更には、トップガイド２１２部分に帯状部５を巻き付けることにより、トップガイド２１２を保護することができる。また、釣場を移動するような場合、直ちに釣竿を組み立てて仕掛けを取着することができるので、利便性の向上が図れるようになる。
なお、釣竿用のロッドホルダとして使用する場合、上記以外にも、３本以上の釣竿を束ねて固定するのに用いることも可能である。
【符号の説明】
【００３３】
１  釣具用バンド
５  帯状部
１０  糸止め部
１１  中央孔部
１２ａ〜１２ｄ  切れ目
１３  小孔
２０  小物類
１００  スピニングリール
１０１  スプール
２００  元竿杆
２０１  穂先竿杆
Ｓ  釣糸
【図１】
0003235254.tif 000003
【図２】
0003235254.tif 000004
【図３】
0003235254.tif 000005
【図４】
0003235254.tif 000006
【図５】
0003235254.tif 000007
【図６】
0003235254.tif 000008
【図７】
0003235254.tif 000009
【図８】
0003235254.tif 000010